(57)【要約】【課題】印刷媒体に印刷した画像を転写対象物に昇華させることで印刷媒体から転写対象物に画像を転写する昇華印刷技術に関し、広範な転写対象物の種類に応じた適切な昇華印刷を実現可能とする。【解決手段】印刷装置により印刷媒体に印刷した画像を転写対象物に昇華させることで印刷媒体から転写対象物に画像を転写する昇華印刷技術で使用される転写対象物の種類に応じた印刷データ生成条件を記憶するサーバーと通信を行う通信部と、通信部を介してサーバーからダウンロードした印刷データ生成条件を転写対象物の種類毎に記憶する記憶部と、印刷データ生成条件に基づき印刷データを生成する印刷データ生成装置からの要求に応じて、印刷データ生成条件を印刷データ生成装置に出力する制御部とを備える。【選択図】図１
2019045934.tif 000002
【特許請求の範囲】
【請求項１】
印刷装置により印刷媒体に印刷した画像を転写対象物に昇華させることで前記印刷媒体から前記転写対象物に画像を転写する昇華印刷技術で使用される前記転写対象物の種類に応じた印刷データ生成条件を記憶するサーバーと通信を行う通信部と、
前記通信部を介して前記サーバーからダウンロードした前記印刷データ生成条件を前記転写対象物の種類毎に記憶する記憶部と、
前記印刷データ生成条件に基づき印刷データを生成する印刷データ生成装置からの要求に応じて、前記印刷データ生成条件を前記印刷データ生成装置に出力する制御部と
を備える印刷条件管理装置。
【請求項２】
前記印刷データ生成条件は、色変換に用いられる色変換ＬＵＴを含む請求項１に記載の印刷条件管理装置。
【請求項３】
前記印刷装置は、インクジェット方式でインク滴を吐出することで前記印刷媒体に画像を印刷し、
前記印刷データ生成条件は、前記インク滴の大きさを示すＳＭＬテーブルを含む請求項１または２に記載の印刷条件管理装置。
【請求項４】
前記印刷データ生成条件は、カラーマッチングに用いられるＩＣＣプロファイルを含む請求項１ないし３のいずれか一項に記載の印刷条件管理装置。
【請求項５】
前記印刷装置は、所定の印刷設定条件に基づき動作することで印刷を実行し、
前記サーバーは、前記転写対象物の種類に応じた前記印刷設定条件を記憶し、
前記通信部は、前記印刷データ生成条件とともに前記印刷設定条件を前記サーバーからダウンロードし、
前記記憶部は、前記通信部を介して前記サーバーからダウンロードした前記印刷設定条件を前記転写対象物の種類毎に記憶し、
前記制御部は、印刷に用いる前記印刷設定条件を前記印刷装置に指示する請求項１ないし４のいずれか一項に記載の印刷条件管理装置。
【請求項６】
請求項１ないし５のいずれか一項に記載の印刷条件管理装置と、
前記印刷条件管理装置から取得した印刷データ生成条件に基づき印刷データを生成する印刷データ生成装置と、
転写対象物に昇華される画像を前記印刷データに基づき印刷媒体に印刷する印刷装置と
を備える印刷システム。
【請求項７】
前記印刷条件管理装置は、前記印刷装置に内蔵される請求項６に記載の印刷システム。
【請求項８】
印刷装置により画像を印刷する印刷媒体の種類に応じた印刷データ生成条件と、印刷装置を動作させる印刷設定条件を記憶するサーバーと通信を行う通信部と、
前記通信部を介して前記サーバーからダウンロードした前記印刷データ生成条件および前記印刷設定条件を前記印刷媒体の種類毎に記憶する記憶部と、
印刷に用いる前記印刷設定条件を前記印刷装置に指示する制御部と
を備え、
前記印刷データ生成条件は、色変換に用いられる色変換ＬＵＴ、インクジェット方式の印刷装置においてインク滴を吐出することで前記印刷媒体に画像を印刷するときのインク滴の大きさを示すＳＭＬテーブル、ならびにカラーマッチングに用いられるＩＣＣプロファイルを含み、
前記印刷データ生成条件に基づき印刷データを生成する印刷データ生成装置からの要求に応じて、前記印刷データ生成条件を前記印刷データ生成装置に出力する制御部と
を備える印刷条件管理装置。
【発明の詳細な説明】
【技術分野】
【０００１】
この発明は、特に印刷媒体に印刷した画像を転写対象物に昇華させることで印刷媒体から転写対象物に画像を転写する昇華印刷技術に関し、転写対象物の種類に応じた印刷条件で印刷媒体に印刷を行う技術に関する。
【背景技術】
【０００２】
特許文献１には、印刷データ生成装置が生成した印刷データを印刷装置に送信し、印刷装置が印刷データに応じて印刷媒体に画像を印刷する技術が記載されている。特に印刷データ生成装置は、印刷装置の給紙装置にセットされた印刷媒体の種類に対応したＩＣＣプロファイル（International Color Consortiumの規定に準拠したプロファイル）を用いたカラーマッチングを行うなど印刷データ生成条件に基づいて印刷データを生成する。
【先行技術文献】
【特許文献】
【０００３】
【特許文献１】特開２０１０−１０２３９号公報
【発明の概要】
【発明が解決しようとする課題】
【０００４】
特許文献１のように、印刷装置にセットされる印刷媒体の種類程度であれば、各種類に応じたＩＣＣプロファイル等の印刷データ生成条件を用意しておく機能を印刷データ生成装置に兼備させても構わない。しかしながら、昇華印刷において高品質な成果物を生成するためには、印刷装置による転写紙への印刷のみならず、転写紙を転写させる対象物の特性も考慮する必要があるが、転写対象物の種類も広範に渡る可能性がある。そのため、印刷データ生成装置に転写対象物の全種類について印刷データ生成条件を用意することは現実的ではなかった。
【０００５】
この発明は、上記課題に鑑みなされたものであり、印刷媒体に印刷した画像を転写対象物に昇華させることで印刷媒体から転写対象物に画像を転写する昇華印刷技術に関し、広範な転写対象物の種類に応じた適切な昇華印刷を実現可能とする技術の提供を目的とする。
【課題を解決するための手段】
【０００６】
本発明に係る印刷条件管理装置は、印刷装置により印刷媒体に印刷した画像を転写対象物に昇華させることで印刷媒体から転写対象物に画像を転写する昇華印刷技術で使用される転写対象物の種類に応じた印刷データ生成条件を記憶するサーバーと通信を行う通信部と、通信部を介してサーバーからダウンロードした印刷データ生成条件を転写対象物の種類毎に記憶する記憶部と、印刷データ生成条件に基づき印刷データを生成する印刷データ生成装置からの要求に応じて、印刷データ生成条件を印刷データ生成装置に出力する制御部とを備える。
【０００７】
このように構成された本発明（印刷条件管理装置）では、昇華印刷技術で使用される転写対象物の種類に応じた印刷データ生成条件がサーバーに記憶されている。そして、サーバーからダウンロードされた印刷データ生成条件が転写対象物の種類毎に記憶され、要求に応じて印刷データ生成装置に出力される。したがって、転写対象物の種類に応じた適切な印刷データ生成条件をサーバーから適宜ダウンロードすることができ、広範な転写対象物の種類に応じた適切な昇華印刷が実現可能となっている。
【０００８】
また、印刷データ生成条件は、色変換に用いられる色変換ＬＵＴを含むように、印刷条件管理装置を構成しても良い。これによって、転写対象物の種類に応じた色変換ＬＵＴを用いて、適切な昇華印刷を実現することができる。
【０００９】
また、印刷装置は、インクジェット方式でインク滴を吐出することで印刷媒体に画像を印刷し、印刷データ生成条件は、インク滴の大きさを示すＳＭＬテーブルを含むように、印刷条件管理装置を構成しても良い。これによって転写対象物の種類に応じた大きさのインク滴によって、適切な昇華印刷を実現することができる。
【００１０】
また、印刷データ生成条件は、カラーマッチングに用いられるＩＣＣプロファイルを含むように、印刷条件管理装置を構成しても良い。これによって、転写対象物の種類に応じたＩＣＣプロファイルを用いて、適切な昇華印刷を実現することができる。
【００１１】
また、印刷装置は、所定の印刷設定条件に基づき動作することで印刷を実行し、サーバーは、転写対象物の種類に応じた印刷設定条件を記憶し、通信部は、印刷データ生成条件とともに印刷設定条件をサーバーからダウンロードし、記憶部は、通信部を介してサーバーからダウンロードした印刷設定条件を転写対象物の種類毎に記憶し、制御部は、印刷に用いる印刷設定条件を印刷装置に指示するように、印刷条件管理装置を構成しても良い。これによって、転写対象物の種類に応じた印刷設定条件により、適切な昇華印刷を実現することができる。
【００１２】
本発明に係る印刷システムは、上記の印刷条件管理装置と、印刷条件管理装置から取得した印刷データ生成条件に基づき印刷データを生成する印刷データ生成装置と、転写対象物に昇華される画像を印刷データに基づき印刷媒体に印刷する印刷装置とを備える。したがって、転写対象物の種類に応じた適切な印刷データ生成条件をサーバーから適宜ダウンロードすることができ、広範な転写対象物の種類に応じた適切な昇華印刷が実現可能となっている。
【００１３】
また、印刷条件管理装置は、印刷装置に内蔵されるように、印刷システムを構成しても良い。つまり、かかる印刷システムに対しても、本発明を好適に適用することができる。
【００１４】
なお、本発明は昇華印刷に特に好適であるが、適応対象は昇華印刷に限られない。つまり、本発明の別態様に係る印刷条件管理装置は、印刷装置により画像を印刷する印刷媒体の種類に応じた印刷データ生成条件と、印刷装置を動作させる印刷設定条件を記憶するサーバーと通信を行う通信部と、通信部を介してサーバーからダウンロードした印刷データ生成条件および印刷設定条件を印刷媒体の種類毎に記憶する記憶部と、印刷に用いる印刷設定条件を印刷装置に指示する制御部とを備え、印刷データ生成条件は、色変換に用いられる色変換ＬＵＴ、インクジェット方式の印刷装置においてインク滴を吐出することで印刷媒体に画像を印刷するときのインク滴の大きさを示すＳＭＬテーブル、ならびにカラーマッチングに用いられるＩＣＣプロファイルを含み、印刷データ生成条件に基づき印刷データを生成する印刷データ生成装置からの要求に応じて、印刷データ生成条件を印刷データ生成装置に出力する制御部とを備える。
【００１５】
このように構成された本発明（印刷条件管理装置）では、印刷媒体の種類に応じた印刷データ生成条件がサーバーに記憶されている。そして、サーバーからダウンロードされた印刷データ生成条件が印刷媒体の種類毎に記憶され、要求に応じて印刷データ生成装置に出力される。したがって、印刷媒体の種類に応じた適切な印刷データ生成条件をサーバーから適宜ダウンロードすることができ、広範な印刷媒体の種類に応じた適切な印刷が実現可能となっている。
【図面の簡単な説明】
【００１６】
【図１】本発明の一実施形態を示すブロック図。
【図２】印刷装置が備える印刷実行部の一例を模式的に示す図。
【図３】転写対象物の種類に対応する印刷条件の記憶態様の一例を示す図。
【図４】管理装置による印刷条件の取得動作の一例を示すフローチャート。
【図５】印刷条件を用いた印刷処理の一例を示すフローチャート。
【発明を実施するための形態】
【００１７】
図１は本発明の一実施形態を示すブロック図である。この実施形態では、印刷システム１とデータベースサーバーＳとが具備されている。印刷システム１はＲＩＰ２および印刷装置３を備え、ＲＩＰ２により生成された印刷データＤｐが示す画像を印刷装置３により印刷する印刷処理を実行する。特に印刷システム１は昇華インクにより画像を印刷し、この画像は不図示の転写装置によって転写対象物に昇華・転写される。さらに、印刷システム１は、ＲＩＰ２および印刷装置３を管理する管理装置４を備える。管理装置４はＣＰＵ(Central Processing Unit)およびＲＡＭ(Random Access Memory)等で構成された制御部（プロセッサー）４１と、ハード・ディスク・ドライブ等で構成された記憶部（ストレージ）４２と、外部機器との通信を行う通信部４３とを有する。通信部４３は、ＲＩＰ２および印刷装置３とローカルエリアネットワークを介して通信を行うとともに、データベースサーバーＳとインターネット通信網を介して通信を行う。
【００１８】
ＲＩＰ２は、色変換処理、色補正処理およびドットサイズ決定処理をこの順に実行することで印刷データＤｐを生成する。色変換処理は、色変換ＬＵＴ(Look Up Table)を用いてＲ（レッド）Ｇ（グリーン）Ｂ（ブルー）の画像データをＣ（シアン）Ｍ（マゼンタ）Ｙ（イエロー）Ｋ（ブラック）の画像データに変換する。色補正処理は、ＩＣＣ(International Color Consortium)プロファイルを用いてカラーマッチングを実行する。また、ドットサイズ決定処理では、色補正処理後の階調データが示す各画素の階調値に基づき各画素のドットサイズを決定する。具体的には、Ｓ（スモール）Ｍ（ミディアム）Ｌ（ラージ）のうちから階調値に応じたドットサイズを示すＳＭＬテーブルを参照して、ドットサイズが決定される。
【００１９】
印刷装置３は、ＣＰＵおよびＲＡＭ等で構成された制御部（プロセッサー）３０１と、ハード・ディスク・ドライブ等で構成された記憶部（ストレージ）３０２と、印刷媒体への画像の印刷を実行する機械的構成である印刷実行部３０３とを有する。この印刷装置３では、制御部３０１がＲＩＰ２から受信した印刷データＤｐを印刷実行部３０３に実行させることで、印刷データＤｐが示す画像を印刷媒体に印刷する。
【００２０】
図２は印刷装置が備える印刷実行部の一例を模式的に示す図である。印刷実行部３０３はロール・トゥ・ロールで搬送方向Ｘに印刷媒体Ｍを搬送する搬送部３１を有する。この搬送部３１は、印刷媒体Ｍの搬送方向Ｘに順に並ぶ繰出ローラー３１１、一対のローラー３１２、３１３および巻取ローラー３１４を有する。繰出ローラー３１１は、ロール状に巻き付けられた印刷媒体Ｍを搬送方向Ｘに繰り出す。一対のローラー３１２、３１３は繰出ローラー３１１により繰り出された印刷媒体Ｍを挟み込む。ローラー３１３はローラー３１２に付勢されており、印刷媒体Ｍに一定の荷重を与える一方、ローラー３１２は所定のトルクを印刷媒体Ｍに加えることで印刷媒体Ｍに一定のテンションを与えつつ印刷媒体Ｍを搬送方向Ｘに搬送する。そして、巻取ローラー３１４が一対のローラー３１２、３１３から印刷媒体Ｍを巻き取る。
【００２１】
また、印刷実行部３０３は、繰出ローラー３１１とローラー３１２との間で、搬送方向Ｘに順に並ぶプリヒーター３２、プラテンヒーター３３およびアフターヒーター３４を有し、これらの上面に接する印刷媒体Ｍを加熱する。さらに、印刷実行部３０３は、所定のプラテンギャップｇを空けてプラテンヒーター３３に対向する印刷ヘッド３５を有する。この印刷ヘッド３５はプラテンヒーター３３に支持される印刷媒体Ｍに対してインクジェット方式で昇華インクを吐出する。
【００２２】
かかる印刷実行部３０３では、搬送部３１が印刷媒体Ｍを搬送方向Ｘへ間欠的に搬送することで、印刷媒体Ｍの未印刷領域をプラテンヒーター３３上に送り出す。そして、印刷ヘッド３５は、搬送方向Ｘに直交する走査方向Ｙに移動しつつ昇華インクを吐出する主走査を実行する。この際、印刷ヘッド３５が主走査を実行する回数（パス数）は適宜設定が可能であり、印刷ヘッド３５は設定されたパス数だけ主走査を実行することで、プラテンヒーター３３に停止する印刷媒体Ｍに画像を印刷する。また、複数の主走査の実行間隔を調整することで、先の主走査で印刷媒体Ｍに着弾した昇華インクのプラテンヒーター３３による乾燥時間が制御される。
【００２３】
このような印刷装置３では、次に例示列挙するマシンパラメーター
・印刷媒体Ｍに与えるテンション
・ローラー３１３の荷重
・プラテンギャップｇ
・主走査の実行回数（パス数）
・主走査の実行間隔
・プリヒーター３２の温度
・プラテンヒーター３３の温度
・アフターヒーター３４の温度
等を適宜最適化して印刷を実行することができる。
【００２４】
図１に戻って説明を続ける。上述のとおり印刷システム１は、転写対象物に昇華インクによって画像を印刷する。かかる転写対象物の種類は、布から陶器に至るまで広範に渡る。そこで、印刷システム１では、転写対象物の種類に応じてＲＩＰ２および印刷装置３の動作を制御する。具体的には、図３に示す印刷条件Ｃを転写対象物の種類Ｋ毎に記憶部４２に記憶する。
【００２５】
ここで、図３は転写対象物の種類に対応する印刷条件の記憶態様の一例を示す図である。同図に示すように、管理装置４の記憶部４２では、印刷条件Ｃが転写対象物の種類Ｋに関連付けられて記憶されており、印刷処理では転写対象物の種類Ｋに応じた印刷条件Ｃが用いられる。この印刷条件Ｃは、印刷データ生成条件Ｃｄと印刷設定条件Ｃｐを含む。印刷データ生成条件Ｃｄは、上述の色変換ＬＵＴ、ＩＣＣプロファイルおよびＳＭＬテーブルを含み、印刷設定条件Ｃｐは上述のマシンパラメーターの具体値を含む。つまり、対応する種類Ｋの転写対象物に対して最適化された、色変換ＬＵＴ、ＩＣＣプロファイルおよびＳＭＬテーブル（印刷データ生成条件Ｃｄ）と、マシンパラメーター（印刷設定条件Ｃｐ）とが印刷条件Ｃに含まれている。かかる印刷条件Ｃは、例えば印刷装置３のメーカーによって予め実験的に求められて、データベースサーバーＳに記憶されており（図１）、管理装置４は印刷条件ＣをデータベースサーバーＳから適宜ダウンロードして取得する。
【００２６】
図４は管理装置による印刷条件の取得動作の一例を示すフローチャートである。ステップＳ１０１では、管理装置４の制御部４１は、印刷条件Ｃの取得要求を示すユーザー指令の有無を確認する。ユーザーは、入力機器（マウス、キーボードあるいはタッチパネル）を操作することで、当該ユーザー指令を管理装置４に入力することができる。より具体的には、制御部４１は、データベースサーバーＳに蓄積された印刷条件Ｃのリストをウェブブラウザに表示した状態で、ユーザー指令を待つ。そして、リストのうちから特定の印刷条件Ｃがユーザーにより選択されると、制御部４１はステップＳ１０１で「ＹＥＳ」と判断して、選択された印刷条件Ｃを、通信部４３を介してデータベースサーバーＳに要求する（ステップＳ１０２）。
【００２７】
データベースサーバーＳはこの要求を受信すると、該当する印刷条件Ｃを管理装置４に向けて送信し、管理装置４の制御部４１は、通信部４３を介してこの印刷条件Ｃを受信する（ステップＳ１０３）。そして、制御部４１は受信した印刷条件Ｃを記憶部４２に記憶する（ステップＳ１０４）。こうして、印刷条件Ｃの取得が完了する。かかる構成によれば、ユーザーは、転写対象物の種類Ｋに応じた印刷条件Ｃが未取得である場合には、管理装置４を操作することで当該種類Ｋに応じた印刷条件Ｃを簡便に取得することができる。
【００２８】
図５は図４の取得動作に従って取得された印刷条件を用いた印刷処理の一例を示すフローチャートである。ＲＩＰ２が昇華印刷の実行対象となる転写対象物の種類Ｋを管理装置４に通知すると（ステップＳ２０１）、管理装置４は、当該種類Ｋに対応する印刷データ生成条件ＣｄをＲＩＰ２に送信するとともに（ステップＳ２０２）、当該種類Ｋに対応する印刷設定条件Ｃｐを印刷装置３に送信する（ステップＳ２０３）。そして、ＲＩＰ２は、管理装置４から受信した印刷データ生成条件Ｃｄに含まれる色変換ＬＵＴ、ＩＣＣプロファイルおよびＳＭＬテーブルを用いて、色変換処理、色補正処理およびドットサイズ決定処理を行って印刷データＤｐを生成し（ステップＳ２０４）、この印刷データＤｐを印刷装置３に送信する（ステップＳ２０５）。印刷装置３は、管理装置４から受信した印刷設定条件Ｃｐが示す値にマシンパラメーターの各値を設定し、ＲＩＰ２から受信した印刷データＤｐが示す画像を印刷媒体Ｍに印刷する（ステップＳ２０６）。
【００２９】
以上に説明した実施形態では、昇華印刷技術で使用される転写対象物の種類Ｋに応じた印刷データ生成条件ＣｄがデータベースサーバーＳに記憶されている。そして、データベースサーバーＳからダウンロードされた印刷データ生成条件Ｃｄが転写対象物の種類Ｋ毎に管理装置４に記憶され、要求に応じてＲＩＰ２に出力される。したがって、転写対象物の種類Ｋに応じた適切な印刷データ生成条件ＣｄをデータベースサーバーＳから適宜ダウンロードすることができ、広範な転写対象物の種類Ｋに応じた適切な昇華印刷が実現可能となっている。
【００３０】
また、印刷データ生成条件Ｃｄは、色変換に用いられる色変換ＬＵＴを含む。これによって、転写対象物の種類Ｋに応じた色変換ＬＵＴを用いて、適切な昇華印刷を実現することができる。
【００３１】
また、印刷装置３は、インクジェット方式でインク滴を吐出することで印刷媒体に画像を印刷し、印刷データ生成条件Ｃｄは、インク滴の大きさを示すＳＭＬテーブルを含む。これによって転写対象物の種類Ｋに応じた大きさのインク滴によって、適切な昇華印刷を実現することができる。
【００３２】
また、印刷データ生成条件Ｃｄは、カラーマッチングに用いられるＩＣＣプロファイルを含む。これによって、転写対象物の種類Ｋに応じたＩＣＣプロファイルを用いて、適切な昇華印刷を実現することができる。
【００３３】
また、印刷装置３は、所定の印刷設定条件Ｃｐに基づき動作することで印刷を実行する。これに対して、データベースサーバーＳは、転写対象物の種類Ｋに応じた印刷設定条件Ｃｐを記憶する。そこで、管理装置４では、通信部４３が印刷データ生成条件Ｃｄとともに印刷設定条件ＣｐをデータベースサーバーＳからダウンロードし（ステップＳ１０３）、記憶部４２が通信部４３を介してデータベースサーバーＳからダウンロードした印刷設定条件Ｃｐを転写対象物の種類Ｋ毎に記憶する（ステップＳ１０４）。そして、管理装置４の制御部４１は、印刷に用いる印刷設定条件Ｃｐを印刷装置３に指示する（ステップＳ２０３）。これによって、転写対象物の種類Ｋに応じた印刷設定条件Ｃｐにより、適切な昇華印刷を実現することができる。
【００３４】
以上のように、上記実施形態では、印刷システム１が本発明の「印刷システム」の一例に相当し、管理装置４が本発明の「印刷条件管理装置」の一例に相当し、ＲＩＰ２が本発明の「印刷データ生成装置」の一例に相当し、印刷装置３が本発明の「印刷装置」の一例に相当し、データベースサーバーＳが本発明の「サーバー」の一例に相当し、通信部４３が本発明の「通信部」の一例に相当し、記憶部４２が本発明の「記憶部」の一例に相当し、制御部４１が本発明の「制御部」の一例に相当し、印刷データ生成条件Ｃｄが本発明の「印刷データ生成条件」の一例に相当し、印刷設定条件Ｃｐが本発明の「印刷設定条件」の一例に相当する。
【００３５】
なお、本発明は上記実施形態に限定されるものではなく、その趣旨を逸脱しない限りにおいて上述したものに対して種々の変更を加えることが可能である。例えば、管理装置４が印刷条件ＣをデータベースサーバーＳから取得するタイミングは上記の例に限られない。つまり、管理装置４が転写対象物の種類Ｋの通知を受信した時点で（ステップＳ２０１）、当該種類Ｋに対応する印刷条件Ｃを記憶部４２に記憶済みかを判断し、未記憶の場合にステップＳ１０２〜Ｓ１０４を実行して印刷条件Ｃを取得しても良い。
【００３６】
また、転写対象物の種類Ｋの通知（ステップＳ１０２）は、印刷装置３から管理装置４に行っても良いし、管理装置４に対するユーザーの入力操作により行われても良い。
【００３７】
また、ＲＩＰ２と管理装置４とが別体である必要は必ずしもない。したがって、管理装置４にＲＩＰ２を内蔵しても良い。
【００３８】
また、印刷システム１に設けられるＲＩＰ２、印刷装置３あるいは管理装置４の台数も適宜変更が可能である。
【００３９】
また、上記実施形態では昇華印刷を例にとっているが、昇華印刷には限らず例えば印刷媒体自体が看板などの掲示物となるサイネージ用途などの印刷においても適用できる。サイネージ用途においても多種多様な印刷媒体があり、印刷媒体の種類に応じてＲＩＰ２および印刷装置３の動作を制御することで、適切な印刷を実現することができる。
【００４０】
具体的にこの変形例では、印刷装置３により画像を印刷する印刷媒体Ｍの種類に応じた印刷データ生成条件Ｃｄと、印刷装置３を動作させる印刷設定条件Ｃｐとがデータベースサーバー３に記憶される。そして、管理装置４では、通信部４３を介してデータベースサーバー３からダウンロードされた印刷データ生成条件Ｃｄおよび印刷設定条件Ｃｐが記憶部４２に印刷媒体Ｍの種類毎に記憶され、制御部４１は、印刷に用いる印刷設定条件Ｃｐを印刷装置３に指示する。
【００４１】
印刷データ生成条件Ｃｄは、色変換に用いられる色変換ＬＵＴ、インクジェット方式の印刷装置３においてインク滴を吐出することで印刷媒体Ｍに画像を印刷するときのインク滴の大きさを示すＳＭＬテーブル、ならびにカラーマッチングに用いられるＩＣＣプロファイルを含む。そして、印刷データ生成条件Ｃｄに基づき印刷データＤｐを生成するＲＩＰ２（印刷データ生成装置）からの要求に応じて、制御部４１が印刷データ生成条件ＣｄをＲＩＰ２に出力する。
【００４２】
このように構成された変形例では、印刷媒体Ｍの種類に応じた印刷データ生成条件Ｃｄがデータベースサーバー３に記憶されている。そして、データベースサーバー３からダウンロードされた印刷データ生成条件Ｃｄが印刷媒体Ｍの種類毎に記憶され、要求に応じてＲＩＰ２に出力される。したがって、印刷媒体Ｍの種類に応じた適切な印刷データ生成条件Ｃｄをデータベースサーバー３から適宜ダウンロードすることができ、広範な印刷媒体Ｍの種類に応じた適切な印刷が実現可能となっている。
【符号の説明】
【００４３】
１…印刷システム、２…ＲＩＰ（印刷データ生成装置）、３…印刷装置、４…管理装置（印刷条件管理装置）、４１…制御部、４２…記憶部、４３…通信部、Ｓ…データベースサーバー（サーバー）、Ｃｄ…印刷データ生成条件、Ｃｐ…印刷設定条件
【図１】
2019045934.tif 000003
【図２】
2019045934.tif 000004
【図３】
2019045934.tif 000005
【図４】
2019045934.tif 000006
【図５】
2019045934.tif 000007